【手続補正書】
【提出日】平成23年5月13日(2011.5.13)
【手続補正１】
【補正対象書類名】特許請求の範囲
【補正対象項目名】全文
【補正方法】変更
【補正の内容】
【特許請求の範囲】
【請求項１】
基材と共有結合している化合物を含む組成物であって、前記化合物が下記式(I)：
【化１】
2010529431.tif 000001
で示される構造を有し、
式中、
nは、0及び1から選択される数であり；
R1、R2及びR3は、ハロゲン、OR10、NR10R11、OC(O)R12、OS(O)2R12、置換又は無置換アルキル、置換又は無置換ヘテロアルキル、置換又は無置換アリール、置換又は無置換ヘテロアリール、置換又は無置換ヘテロシクロアルキル及び前記基材との結合から独立に選択されるメンバーであり、
ここで、
各R10及び各R11は、H、置換又は無置換アルキル、置換又は無置換ヘテロアルキル、置換又は無置換アリール、置換又は無置換ヘテロアリール、置換又は無置換ヘテロシクロアルキル及び前記基材との結合から独立に選択されるメンバーであり；かつ
各R12は、置換又は無置換アルキル、置換又は無置換ヘテロアルキル、置換又は無置換アリール、置換又は無置換ヘテロアリール及び置換又は無置換ヘテロシクロアルキルから独立に選択されるメンバーであり、
但し、R1、R2及びR3の少なくとも1つは、前記基材と共有結合しており；
L1及びL2は、置換又は無置換アルキル、置換又は無置換ヘテロアルキル、置換又は無置換アリール、置換又は無置換ヘテロアリール及び置換又は無置換ヘテロシクロアルキルから独立に選択されるリンカー基であり
但し、nが1の場合、L1及びL2の少なくとも1つは、少なくとも8個の連続した炭素原子を有する炭素鎖を含み、nが0の場合、L2は、少なくとも8個の連続した炭素原子を有する炭素鎖を含み；
R4は、H、アシル、置換又は無置換C1-C4アルキル及び置換又は無置換C1-C4ヘテロアルキルから選択されるメンバーであり；
R20は、H、置換アルキル、置換ヘテロアルキル及び置換ヘテロシクロアルキルから選択されるメンバーであり、但し、R20がHでない場合、R20の少なくとも1つの置換基はOHであり；かつ
Yは、エーテル、チオエーテル、アミド、スルホンアミド、カルボナート、カルバマート、尿素及びチオ尿素から選択されるメンバーである、
前記組成物。
【請求項２】
R1、R2及びR3の少なくとも1つが、置換又は無置換C1-C6アルキルである、請求項1に記載の組成物。
【請求項３】
前記連続した炭素原子のうちの少なくとも2つが、5員又は6員環の一部であって、前記環は、アリール、ヘテロアリール及びシクロアルキルから選択されるメンバーである、請求項1に記載の組成物。
【請求項４】
R4とL2の置換基とが、それらが結合している原子と共に結合して3員〜7員環を形成している、請求項1に記載の組成物。
【請求項５】
R4がHである、請求項1に記載の組成物。
【請求項６】
式(I)中、nが0であり、かつ前記化合物が下記式(II)：
【化２】
2010529431.tif 000002
で示される構造を有し、
式中、
mは、0〜4より選択される数であり；
L3は、置換又は無置換アルキルから選択されるメンバーであり；
L4は、単結合、置換又は無置換アルキル及び置換又は無置換ヘテロアルキルから選択されるメンバーであり；かつ
各R5は、H、置換又は無置換アルキル及び置換又は無置換ヘテロアルキルから独立に選択されるメンバーである、
請求項3に記載の組成物。
【請求項７】
式(II)中、
R5が、H及び置換又は無置換アルキルから選択されるメンバーであり；
L3が、無置換アルキルであり；かつ
L4が、1つ以上のエーテル又はチオエーテル基で中断される直鎖又は分岐鎖アルキルである、請求項6に記載の組成物。
【請求項８】
前記化合物が、下記式(III)：
【化３】
2010529431.tif 000003
で示される構造を有し、
式中、
pは、2〜10より選択される整数であり；かつ
qは、0〜10より選択される整数である、
請求項7に記載の組成物。
【請求項９】
nが0であり、R4がHであり、かつL2が置換又は無置換C5-C20アルキルである、請求項1に記載の組成物。
【請求項１０】
L2が無置換C6-C20アルキルである、請求項9に記載の組成物。
【請求項１１】
L2が無置換C8アルキルである、請求項10に記載の組成物。
【請求項１２】
nが1であり、Yがアミド基であり、R4がHであり、かつL2が置換又は無置換C5-C20アルキルである、請求項1に記載の組成物。
【請求項１３】
L2が無置換C6-C20アルキルである、請求項12に記載の組成物。
【請求項１４】
前記化合物が、下記式(IV)：
【化４】
2010529431.tif 000004
で示される構造を有し、
式中、
rが2〜6より選択される整数であり、かつsが0及び1から選択される整数であり、但し、rが2の場合、sが1である、
請求項4に記載の組成物。
【請求項１５】
R20がHである、請求項1に記載の組成物。
【請求項１６】
下記式(VIa)：
【化５】
2010529431.tif 000005
で示される構造を有する化合物であって、
式中、
nは、0及び1から選択される数であり；
R6、R7及びR8は、ハロゲン、OR14、NR14R15、OC(O)R16、OS(O)2R16、置換又は無置換アルキル、置換又は無置換ヘテロアルキル、置換又は無置換アリール、置換又は無置換ヘテロアリール及び置換又は無置換ヘテロシクロアルキルから独立に選択されるメンバーであり、ここで、
各R14及び各R15は、H、置換又は無置換アルキル、置換又は無置換ヘテロアルキル、置換又は無置換アリール、置換又は無置換ヘテロアリール及び置換又は無置換ヘテロシクロアルキルから独立に選択されるメンバーであり；かつ
各R16は、置換又は無置換アルキル、置換又は無置換ヘテロアルキル、置換又は無置換アリール、置換又は無置換ヘテロアリール及び置換又は無置換ヘテロシクロアルキルから独立に選択されるメンバーであり、
但し、R6、R7及びR8の少なくとも1つは、OH、無置換アルキル、無置換アリール、無置換ヘテロアリール及び無置換ヘテロシクロアルキル以外であり；
L1及びL2は、置換又は無置換アルキル、置換又は無置換ヘテロアルキル、置換又は無置換アリール、置換又は無置換ヘテロアリール及び置換又は無置換ヘテロシクロアルキルから独立に選択されるリンカー基であり、
但し、nが1の場合、L1及びL2の少なくとも1つは、少なくとも8個の連続した炭素原子を有する炭素鎖を含み、nが0の場合、L2は、少なくとも8個の連続した炭素原子を有する炭素鎖を含み；
R4は、H、アシル、置換又は無置換C1-C4アルキル及び置換又は無置換C1-C4ヘテロアルキルから選択されるメンバーであり；かつ
Yは、エーテル、チオエーテル、アミド、スルホンアミド、カルボナート、カルバマート、尿素及びチオ尿素から選択されるメンバーである、
前記化合物。
【請求項１７】
請求項1に記載の組成物の製造方法であって、以下の工程：
(i)反応性官能基を有する基材を、エポキシド成分を有し、かつ下記式(VIa)：
【化６】
2010529431.tif 000006
で示される構造を有する化合物であって、
式中、
nは、0及び1から選択される数であり；
R6、R7及びR8は、ハロゲン、OR14、NR14R15、OC(O)R16、OS(O)2R16、置換又は無置換アルキル、置換又は無置換ヘテロアルキル、置換又は無置換アリール、置換又は無置換ヘテロアリール及び置換又は無置換ヘテロシクロアルキルから独立に選択されるメンバーであり、ここで、
各R14及び各R15は、H、置換又は無置換アルキル、置換又は無置換ヘテロアルキル、置換又は無置換アリール、置換又は無置換ヘテロアリール及び置換又は無置換ヘテロシクロアルキルから独立に選択されるメンバーであり；かつ
各R16は、置換又は無置換アルキル、置換又は無置換ヘテロアルキル、置換又は無置換アリール、置換又は無置換ヘテロアリール及び置換又は無置換ヘテロシクロアルキルから独立に選択されるメンバーであり、
但し、R6、R7及びR8の少なくとも1つは、OH、無置換アルキル、無置換アリール、無置換ヘテロアリール及び無置換ヘテロシクロアルキル以外であり；
L1及びL2は、置換又は無置換アルキル、置換又は無置換ヘテロアルキル、置換又は無置換アリール、置換又は無置換ヘテロアリール及び置換又は無置換ヘテロシクロアルキルから独立に選択されるリンカー基であり、
但し、nが1の場合、L1及びL2の少なくとも1つは、少なくとも8個の連続した炭素原子を有する炭素鎖を含み、nが0の場合、L2は、少なくとも8個の連続した炭素原子を有する炭素鎖を含み；
R4は、H、アシル、置換又は無置換C1-C4アルキル及び置換又は無置換C1-C4ヘテロアルキルから選択されるメンバーであり；かつ
Yは、エーテル、チオエーテル、アミド、スルホンアミド、カルボナート、カルバマート、尿素及びチオ尿素から選択されるメンバーである、
前記化合物と、前記反応性官能基とR6、R7及びR8の少なくとも1つとの間の反応によって前記化合物と前記基材との間に共有結合を形成するのに十分な条件下で接触させる工程を含む、前記方法。
【請求項１８】
さらに以下の工程：
(ii)前記エポキシド成分を1,2-ジオール成分に変換する工程を含む、
請求項17に記載の方法。
【請求項１９】
酸触媒加水分解によって前記変換工程(ii)を達成する、請求項18に記載の方法。
【請求項２０】
R4がHであり、かつ工程(i)の生成物と求核性酸素原子を含む試薬とを接触させることによって前記変換工程(ii)を達成する、請求項18に記載の方法。
【請求項２１】
R4とL2の置換基とが、それらが結合している原子と共に結合して3員〜7員環を形成している、請求項17に記載の方法。
【請求項２２】
前記基材の前記反応性官能基が、シラノール、アルコキシシラン、ハロシラン及びアミノシランから選択されるメンバーである、請求項17に記載の方法。
【請求項２３】
R6、R7及びR8の少なくとも1つがアルコキシである、請求項17に記載の方法。
【請求項２４】
前記連続した炭素原子のうちの少なくとも2つが、5員又は6員環の一部であって、前記環は、アリール、ヘテロアリール及びシクロアルキルから選択されるメンバーである、請求項17に記載の方法。